(57)【要約】【課題】フレームに固定された電池の破壊等が発生した場合でも周辺への影響を抑制し、外部からの加熱や衝撃等に対しても電池を保護することができるメガネを提供する。【解決手段】フレーム１に不燃性の電池固定部４が設けられ、電池固定部４は電池３が固着された平面状の電池固着部４ａと、電池固着部４ａの周縁の周方向に隣り合う２箇所に設けられ、電池固着部に固着された電池３の側面に異なる方向から対向する２つの電池遮蔽部４ｂ１，４ｂ２とを備えている。電池固定部４は、金属製の板材にて形成され、電池固着部の電池３を固着した板面とは反対側の板面をフレームに固着してある。フレームは、レンズ２を保持した前枠１ａを有し、電池遮蔽部４ｂ１，４ｂ２は、前枠１ａの横側面１ａ１に縦姿勢に設けられ、電池遮蔽部４ｂ１，４ｂ２は、電池固着部の下側及び後側の周縁に設けてある。【選択図】図２
2013117640.tif 000002
【特許請求の範囲】
【請求項１】
電池がフレームに固定されているメガネにおいて、
不燃性の電池固定部が前記フレームに設けられ、
前記電池固定部は、前記電池が固着された平面状の電池固着部と、該電池固着部の周縁の周方向に隣り合う２箇所に設けられ、前記電池固着部に固着された電池の側面に異なる方向から対向する２つの電池遮蔽部とを備えていることを特徴とするメガネ。
【請求項２】
前記電池固定部は、金属製の板材にて形成され、前記電池固着部の電池を固着した板面とは反対側の板面を前記フレームに固着してあることを特徴とする請求項１に記載のメガネ。
【請求項３】
前記フレームの少なくとも一部が不燃性であり、前記電池固定部は、前記フレームの不燃性の部分に形成してあることを特徴とする請求項１に記載のメガネ。
【請求項４】
前記フレームは、レンズを保持した前枠を有し、
前記電池固着部は、前記前枠の横側面に縦姿勢に設けられ、
前記電池遮蔽部は、前記電池固着部の下側及び後側の周縁に設けてあることを特徴とする請求項１から３の何れか１項に記載のメガネ。
【請求項５】
前記フレームは、前記前枠の横側面を覆うように装着されたカバーを有し、
該カバーの内面は、前記電池固着部に固着された電池の表面から離間していることを特徴とする請求項４に記載のメガネ。
【請求項６】
前記レンズは、前記電池から供給される電圧の印加により光透過率が変化する層を有していることを特徴とする請求項４又は５に記載のメガネ。
【請求項７】
前記電池は二次電池であることを特徴とする請求項１から６の何れか１項に記載のメガネ。
【発明の詳細な説明】
【技術分野】
【０００１】
本発明は、充電式電池等の電池がフレームに固定されているメガネに関する。
【背景技術】
【０００２】
近年、充電式電池（二次電池）の小型軽量化の流れの中で、リチウムイオンポリマー電池等が広く使われている。リチウムイオンポリマー電池はゲル状の充填物を柔らかい材質のパッケージで包んでいるため、ニッケル水素電池などに比べて外形が大きく伸縮する。そのため、伸縮によるひずみを吸収できるように電池の１面を筐体等に両面テープによって接着して固定する方法が一般的である。例えば、３Ｄテレビジョン装置で使用される３Ｄ映像用の液晶シャッター方式のメガネに液晶駆動回路へ電力を供給する充電式電池を取り付ける場合、液晶レンズを保持したフレーム前枠の横側面に両面テープによって接着することができる。
【０００３】
尚、充電式電池を収容するケースの従来技術として、特許文献１に、薄型の電池を収容するケースの対向した内面に放熱用の金属体を配置し、一方の金属体は外部に露出しており、電池が温度上昇した場合に放熱用の金属体に接触することで熱を外部に放出し放熱効果を高めるようにした電池パックが示されている。特許文献２に、外装缶の一面に金属箔で塞いだ開口を設け、電池が熱膨張して外装缶の内圧が上昇した場合に、金属箔が破れて内部のガス等を放出させて、外装缶の破裂を防止するようにした電池密閉容器が示されている。
【先行技術文献】
【特許文献】
【０００４】
【特許文献１】特開２００２−１２４２２４号公報
【特許文献２】特開２００２−８３５７８号公報
【発明の概要】
【発明が解決しようとする課題】
【０００５】
リチウムイオンポリマー電池を取り付けたメガネでは、電池が内部で熱膨張して破壊等し、柔らかい材質のパッケージで包まれた内部の充填物が放出された場合、電池の位置に近い目や耳などの顔面に影響が及ぶ懸念がある。リチウムイオンポリマー電池に外部から加熱や衝撃が加わって破壊等が生じる場合も同様な懸念がある。
【０００６】
上記のような懸念を解消するために、電池全体を難燃硬質部材で覆うことで内部での熱膨張、外部からの衝撃等に対して電池を保護する手段が考えられるが、電池自体の体積が増減し、体積が増加した場合は内部に高圧の負荷がかかり、破裂に至る可能性がある。因みに、特許文献１では、電池の熱膨張が過大になった場合に放熱効果が不足して膨張し続け、ガス漏れや破裂に繋がる可能性がある。又、特許文献２では、金属箔が破れて内部の充填物が外部に放出された場合に放出方向を１方向に限定できるが、開口以外のケース部分を金属による密閉構造にする必要があり、外形が大きくなる虞がある。
【０００７】
本発明は、上述したような事情に鑑みてなされたものであり、フレームに固定された電池を外部からの加熱や衝撃等に対して保護することができ、仮に電池の破壊等が発生した場合でも周辺への影響を抑制することができるメガネを提供することを目的とする。
【課題を解決するための手段】
【０００８】
本発明に係るメガネは、電池がフレームに固定されているメガネにおいて、不燃性の電池固定部が前記フレームに設けられ、前記電池固定部は、前記電池が固着された平面状の電池固着部と、該電池固着部の周縁の周方向に隣り合う２箇所に設けられ、前記電池固着部に固着された電池の側面に異なる方向から対向する２つの電池遮蔽部とを備えていることを特徴とする。
【０００９】
本発明においては、不燃性の電池固定部が有する平面状の電池固着部に電池が固着され、不燃性の電池固定部が有する２つの電池遮蔽部が電池固着部の周縁の周方向に隣り合う２箇所に設けられて電池固着部に固着された電池の側面に異なる方向から対向している。そのため、加熱や衝撃等によって電池が膨張して電池の側面が何れかの電池遮蔽部に接触した場合に、該電池遮蔽部が対向する方向の反対側の電池側面には電池遮蔽部は存在しないので、電池の膨張は規制されず、電池に無理な力が加わらない。また仮に電池が破裂等した場合でも、電池の底面が固着されている不燃性の電池固着部と電池の側面に対向する不燃性の電池遮蔽部とによって電池内容物の拡散が抑制される。
【００１０】
本発明に係るメガネは、前記電池固定部は、金属製の板材にて形成され、前記電池固着部の電池を固着した板面とは反対側の板面を前記フレームに固着してあることを特徴とする。
本発明においては、不燃性の電池固定部を金属製の板材にて簡素に構成するとともに、電池を固着した金属製の板材の板面とは反対側の板面をフレームに固着することにより、電池を安定した状態でフレームに固定することができる。
【００１１】
本発明に係るメガネは、前記フレームの少なくとも一部が不燃性であり、前記電池固定部は、前記フレームの不燃性の部分に形成してあることを特徴とする。
本発明においては、不燃性の電池固定部をフレームの一部分に構成しているので、別部材が不要となり、部品点数が削減される。
【００１２】
本発明に係るメガネは、前記フレームは、レンズを保持した前枠を有し、前記電池固着部は、前記前枠の横側面に縦姿勢に設けられ、前記電池遮蔽部は、前記電池固着部の下側及び後側の周縁に設けてあることを特徴とする。
本発明においては、レンズを保持した前枠の横側面に縦姿勢に設けられた電池固着部に電池が固着され、電池の下側及び後側の両側面に電池遮蔽部が対向している。そのため、仮に電池が破裂等した場合でも、メガネをかけている人の顔面への電池内容物の拡散が電池固着部及び下側の電池遮蔽部によって阻止され、耳側への拡散が後側の電池遮蔽部によって阻止される。
【００１３】
本発明に係るメガネは、前記フレームは、前記前枠の横側面を覆うように装着されたカバーを有し、該カバーの内面は、前記電池固着部に固着された電池の表面から離間していることを特徴とする。
本発明においては、前枠の横側面を覆うように装着されたカバーの内面が電池固着部に固着された電池の表面から離間しているので、電池が膨張した場合にカバー内面に接触して規制されて無理な力が加わる虞がない。又、仮に電池が破裂等した場合でも、カバーによって電池内容物の拡散が阻止される。
【００１４】
本発明に係るメガネは、前記レンズは、前記電池から供給される電圧の印加により光透過率が変化する層を有していることを特徴とする。
本発明においては、フレームに固定された電池からレンズが有する層に電圧が印加され、レンズの光透過率が変化する。例えば、電圧の印加により光透過率が変化する層を液晶で構成した３Ｄテレビジョン視聴用のアクティブシャッター式のメガネに適用される。
【００１５】
本発明に係るメガネは、前記電池は二次電池であることを特徴とする。
本発明においては、電池内部で熱膨張し易い二次電池を外部からの加熱や衝撃等に対して保護し、電池の破裂等が発生した場合の電池内容物の拡散を抑制することができる。
【発明の効果】
【００１６】
本発明によれば、平面状の不燃性の電池固着部に電池が固着されると共に、電池固着部の周縁の周方向に隣り合う２箇所に設けた２つの不燃性の電池遮蔽部が電池固着部に固着された電池の側面に異なる方向から対向しているので、フレームに固定された電池を外部からの加熱や衝撃等に対して保護することができ、仮に電池の破裂等が発生した場合でも周辺への影響を抑制することができるメガネが提供される。
【図面の簡単な説明】
【００１７】
【図１】本発明の実施の形態１に係るメガネの斜視図である。
【図２】図１の一部を拡大した斜視図である。
【図３】電池固定板の斜視図である。
【図４】電池の取り付け状態を示す分解斜視図である。
【図５】本発明の実施の形態２に係るメガネの前枠部分を拡大した斜視図である。
【図６】本発明の実施の形態３に係るメガネの前枠部分を拡大した斜視図である。
【発明を実施するための形態】
【００１８】
以下、本発明に係るメガネの実施の形態について図面に基づいて説明する。
（実施の形態１）
図１は本発明の実施の形態１に係るメガネの斜視図、図２は図１の一部を拡大した斜視図、図３は電池固定板の斜視図、図４は電池の取り付け状態を示す分解斜視図である。
【００１９】
本発明に係るメガネのフレーム１は、左右のレンズ２を保持した前枠（フロント）１ａと、前枠１ａに連結されたテンプル１ｂと、前枠１ａに対して前側から装着されるカバー１ｃとを有している。前枠１ａは通常のメガネに比べて広い面積の横側面１ａ１を左右に有している。カバー１ｃは、レンズ２の部分を除いた前枠１ａの前面及び横側面１ａ１を覆っている。図１はカバー１ｃを前枠１ａから外した状態を示す。
【００２０】
本発明に係るメガネは、３Ｄテレビジョン表示装置に使用される専用メガネであり、左右の各レンズ２は、電池３から供給される電圧の印加により光透過率が変化する液晶層（不図示）を有している。フレーム１の他の箇所に設けた制御回路（不図示）により、３Ｄテレビジョン表示装置の表示画面の表示タイミングに同期して左右の各レンズ２に電池３から供給される電圧を印加し、各レンズ２の光透過率を制御する。
【００２１】
前枠１ａの横側面１ａ１に電池３が電池固定板４によって固定されている。電池３はリチウムイオンポリマー電池、リチウムイオン電池等の二次電池である。電池３の外形は扁平形状の直方体であるが、外面の一部が外側に膨らんだ形状でもよい。電池３の１つの角部から、前記制御回路へ接続する配線３ａが出ている。
【００２２】
電池固定板４は、アルミニウム板、銅板等の不燃性の板材で構成されている。電池固定板４は、矩形状の底板４ａと、底板４ａの隣り合う２辺から底板４ａの板面に直交するように折り曲げられた２つの側板４ｂ１，４ｂ２を有する。底板４ａの縦横の寸法は電池３の扁平面の寸法より大きく、側板４ｂ１，４ｂ２の高さは電池３の厚さよりも高い。
【００２３】
前枠１ａの横側面１ａ１には、後側に上下に間隔をおいて４つの位置決め部６が立設され、下側に横長状の位置決め部７が立設されている。ここで、前側はレンズ２の側を意味し、後側はテンプル１ｂの側を意味する。
【００２４】
次に、電池３のフレーム１への取り付けについて説明する。
先ず、電池３を電池固定板４の底板４ａに両面テープ５で接着する。この際、２つの側板４ｂ１，４ｂ２の端部同士が隣り合う角部の対角の角部に配線３ａを位置させる。
次に、前枠１ａからカバー１ｃを外した状態で、電池固定板４の２つの側板４ｂ１，４ｂ２の一方の側板４ｂ１を下側の位置決め部７に押し当て、他方の側板４ｂ２を後側の位置決め部６に押し当てて位置決めし、電池固定板４の底板４ａの裏面（電池３を固着した面の反対面）を両面テープ５で前枠１ａの横側面１ａ１に接着する。この時、カバー１ｃの内面は電池３の表面から離間している。その結果、前枠１ａの横側面１ａ１に固定された電池３の下側の側面に側板４ｂ１が対向し、電池３の後側の側面に側板４ｂ２が対向して遮蔽機能を果たす。
【００２５】
（実施の形態２）
図５は本発明の実施の形態２に係るメガネの前枠部分を拡大した斜視図である。実施の形態２のメガネでは、両面テープに代えて、電池固定板４をフレーム１にビス止めしている点が実施の形態１と異なる。
【００２６】
電池固定板４の４つの角部のうち対角に位置する２角部に、貫通孔が設けてある。前枠１ａの横側面１ａ１には、各貫通孔に対応する位置にネジ孔が設けてある。両面テープ５により電池３が底板４ａに固着された電池固定板４を前枠１ａの横側面１ａ１にセットし、止めネジ１Ｃを各貫通孔に通して横側面１ａ１のネジ孔にねじ込むことにより、電池固定板４が前枠１ａの横側面１ａ１に固定される。
【００２７】
（実施の形態３）
図６は本発明の実施の形態３に係るメガネの前枠部分を拡大した斜視図である。実施の形態３のメガネでは、両面テープに代えて、電池固定板４をフレーム１に設けたフックによって固定している点が実施の形態１と異なる。又、実施の形態３では、前枠１ａの横側面１ａ１に、位置決め部６，７を設けていない。
【００２８】
前枠１ａの横側面１ａ１の後側には上下２箇所に内側に向けて屈曲した爪部を有するフック８が設けられ、前側には上下２箇所に各フック８に対向するフック兼用ストッパー９が設けてある。又、横側面１ａ１の上側及び下側部分に夫々２個のストッパー１０が設けてある。フック兼用ストッパー９は内側に向けて僅かに屈曲している。両面テープ５により電池３が底板４ａに固着された電池固定板４を上下のストッパー１０の間にセットし、電池固定板４の後側板４ｂ２をフック８の爪部の内側に押し込むと共に反対側の底板４ａの縁部をフック兼用ストッパー９に引っ掛けることにより、電池固定板４が前枠１ａの横側面１ａ１に固定される。
【００２９】
上記の実施の形態では、電池３を充電が可能な二次電池としたが、充電ができない乾電池等でもよい。
【００３０】
上記の実施の形態では、電池固定板４の２つの側板４ｂ１，４ｂ２が端部で分離しているが、２つの側板４ｂ１，４ｂ２を端部で繋げるようにしてもよい。
【００３１】
上記の実施の形態では、別部材の電池固定板４により電池固定部を構成したが、フレーム１の少なくとも一部分（例えば前枠１ａの横側面１ａ１の部分）を不燃性の材料（例えばガラスやセラミックスの層）で構成し、かかる不燃性の部分に電池固定部を形成してもよい。
【００３２】
上記の実施の形態では、本発明に係るメガネを３Ｄテレビジョン視聴用のメガネに適用した例を示したが、これに限るものではなく、例えば電池から供給される電圧の印加によりレンズの焦点距離（度数）を変更する遠近両用メガネなどの電池をフレームに固定する各種メガネに適用することができる。
【００３３】
なお、今回開示した実施の形態は、全ての点で例示であって、制限的なものではないと考えられるべきである。本発明の範囲は、特許請求の範囲内での全ての変更及び特許請求の範囲と均等の範囲が含まれることが意図される。
【符号の説明】
【００３４】
１      フレーム
１ａ    前枠
１ａ１  横側面
１ｃ    カバー
２      レンズ
３      電池
４      電池固定板（電池固定部）
４ａ    底板（電池固着部）
４ｂ１  側板（電池遮蔽部）
４ｂ２  側板（電池遮蔽部）
【図１】
2013117640.tif 000003
【図２】
2013117640.tif 000004
【図３】
2013117640.tif 000005
【図４】
2013117640.tif 000006
【図５】
2013117640.tif 000007
【図６】
2013117640.tif 000008